(57)【要約】【課題】建物内の採光や通風を良好にする。【解決手段】北側に上階の床Ｂが設けられるとともに、南側に前記上階の床Ｂよりも低く下階の床Ａよりも高いスキップ床Ｓ１が設けられ、このスキップ床Ｓ１上の南側に面している外壁には採光窓１４が前記スキップ床Ｓ１よりも高い位置に設けられた建物である。スキップ床Ｓ１上の部屋３と北側の下階の床Ａ上の部屋１３とが連通しているので、採光窓１４から差し込んだ外光が１階の北側の部屋３に差し込み、建物内の採光を良好にすることができる。また、スキップ床Ｓ１下の南側に面している外壁に通風口をスキップ床Ｓ１よりも低い位置に設けることで、通風口１１から入った風がスキップ床Ｓ１の下部及び吹き抜け４を通って天窓５から抜けるため、建物内の通風を良好にすることができる。【選択図】図４
2005350880.tif 000002
【特許請求の範囲】
【請求項１】
北側に上階の床が設けられるとともに、南側に前記上階の床よりも低く下階の床よりも高いスキップ床が設けられ、このスキップ床上の南側に面している外壁には採光窓が前記スキップ床よりも高い位置に設けられ、前記スキップ床上の部屋と北側の下階の床上の部屋とが連通していることを特徴とする建物。
【請求項２】
建物の南北中央部に下階から上階に吹き抜ける吹き抜けが設けられており、この吹き抜けを介して前記スキップ床上の部屋と北側の下階の床上の部屋とが連通していることを特徴とする請求項１に記載の建物。
【請求項３】
前記スキップ床の前記吹き抜け側の端部には光を透過する柵が設けられることを特徴とする請求項２に記載の建物。
【請求項４】
前記吹き抜けの上部には天窓が設けられることを特徴とする請求項２または３に記載の建物。
【請求項５】
前記スキップ床下の南側に面している外壁には通風口がスキップ床より低い位置に設けられていることを特徴とする請求項２〜４のいずれか一項に記載の建物。
【請求項６】
前記通風口はスキップ床下に設けられた収納所における荷物の搬出入口であることを特徴とする請求項５に記載の建物。
【発明の詳細な説明】
【技術分野】
【０００１】
本発明は、採光や通風が良好な建物に関する。
【背景技術】
【０００２】
一般に、建物の北側や中央部分は、外光が差し込みにくく、暗くなりがちである。また、建物の中央部分では、屋外へ通じる開口部が設けられないため、通風が悪くなりがちである。
【０００３】
建物内の採光、通風を改善するために、例えば、建物の内部に吹き抜けを設けるとともに、吹き抜けの上部に天窓を設けることが行われている（例えば、特許文献１参照）。
【特許文献１】特開２００１−１９３２９４号公報
【発明の開示】
【発明が解決しようとする課題】
【０００４】
しかし、天窓のみでは、太陽高度が低い時間や季節には、採光が不充分であった。また、天窓を室内の空気の出口とするためには、他に外気の取り入れ口を設ける必要があった。本発明の課題は、建物内の採光や通風を良好にすることである。
【課題を解決するための手段】
【０００５】
以上の課題を解決するため、請求項１に記載の発明は、建物であって、図１〜図８に示すように、北側に上階の床（２階の床Ｂ）が設けられるとともに、南側に前記上階の床（２階の床Ｂ）よりも低く下階の床（１階の床Ａ）よりも高いスキップ床Ｓ１が設けられ、このスキップ床Ｓ１上の南側に面している外壁には採光窓１４が前記スキップ床Ｓ１よりも高い位置に設けられ、前記スキップ床Ｓ１上の部屋（リビングルーム１３）と北側の下階の床（１階の床Ａ）上の部屋（ダイニングキッチン３）とが連通していることを特徴とする。
【０００６】
請求項１に記載の発明によれば、北側に上階の床（２階の床Ｂ）が設けられるとともに、南側に前記上階の床（２階の床Ｂ）よりも低く下階の床（１階の床Ａ）よりも高いスキップ床Ｓ１が設けられ、このスキップ床Ｓ１上の南側に面している外壁には採光窓１４が前記スキップ床Ｓ１よりも高い位置に設けられ、前記スキップ床Ｓ１上の部屋（リビングルーム１３）と北側の下階の床（１階の床Ａ）上の部屋（ダイニングキッチン３）とが連通しているので、スキップ床Ｓ１よりも高い位置に設けられた採光窓１４から差し込んだ外光が北側の下階の床（１階の床Ａ）上の部屋（ダイニングキッチン３）に差し込み、建物内の採光を良好にすることができる。
【０００７】
請求項２に記載の発明は、請求項１に記載の建物であって、建物の南北中央部に下階から上階に吹き抜ける吹き抜け４が設けられており、この吹き抜け４を介して前記スキップ床Ｓ１上の部屋（リビングルーム１３）と北側の下階の床（１階の床Ａ）上の部屋（ダイニングキッチン３）とが連通していることを特徴とする。
【０００８】
請求項２に記載の発明によれば、建物の南北中央部に下階から上階に吹き抜ける吹き抜け４が設けられており、この吹き抜け４を介して前記スキップ床Ｓ１上の部屋（リビングルーム１３）と北側の下階の床（１階の床Ａ）上の部屋（ダイニングキッチン３）とが連通しているので、採光窓１４から差し込んだ外光が吹き抜け４を通って下階の北側の部屋（ダイニングキッチン３）に差し込み、建物内の採光を良好にすることができる。
【０００９】
請求項３に記載の発明は、請求項２に記載の建物であって、前記スキップ床Ｓ１の前記吹き抜け４側の端部には光を透過するとともに人や物の落下を防止する柵１５が設けられることを特徴とする。
【００１０】
請求項３に記載の発明によれば、スキップ床Ｓ１の吹き抜け４側の端部に光を透過する柵１５が設けられているので、採光窓１４から差し込んだ外光を柵１５が遮ることなく、スキップ床Ｓ１の上の人や物が１階の床Ａの上へ落下することを防ぐことができる。
【００１１】
請求項４に記載の発明は、請求項２または３に記載の建物であって、前記吹き抜け４の上部には天窓５が設けられることを特徴とする。
【００１２】
請求項４に記載の発明によれば、吹き抜け４の上部に天窓５が設けられるので、図４または図８に示すように、天窓５から外光が差し込み、吹き抜け４とその周辺の空間（ダイニングキッチン３）の採光を良好にすることができる。
【００１３】
請求項５に記載の発明は、請求項２〜４のいずれか一項に記載の建物であって、前記スキップ床Ｓ１下の南側に面している外壁には通風口（出入口１１）がスキップ床Ｓ１より低い位置に設けられていることを特徴とする。
【００１４】
請求項５に記載の発明によれば、前記スキップ床Ｓ１下の南側に面している外壁には通風口（出入口１１）がスキップ床Ｓ１より低い位置に設けられているので、通風口（出入口１１）から入った風がスキップ床Ｓ１の下部及び吹き抜け４を通って天窓５から抜けるため、建物内の通風を良好にすることができる。
【００１５】
請求項６に記載の発明は、請求項５に記載の建物であって、前記通風口（出入口１１）はスキップ床Ｓ１下に設けられた収納所１０における荷物の搬出入口であることを特徴とする。
【００１６】
請求項６に記載の発明によれば、前記通風口（出入口１１）はスキップ床Ｓ１下に設けられた収納所１０における荷物の搬出入口であるので、搬出入口（出入口１１）を通して屋外から収納所１０に荷物を搬出入することができる。
【発明の効果】
【００１７】
本発明によれば、北側に上階の床が設けられるとともに、南側に上階の床よりも低く下階の床よりも高いスキップ床が設けられ、このスキップ床上の南側に面している外壁には採光窓がスキップ床よりも高い位置に設けられ、スキップ床上の部屋と北側の下階の床上の部屋とが連通しているので、スキップ床よりも高い位置に設けられた採光窓から差し込んだ外光が下階の北側の部屋に差し込み、建物内の採光を良好にすることができる。
【００１８】
また、建物の南北中央部に下階から上階に吹き抜ける吹き抜けを設け、この吹き抜けを介してスキップ床上の部屋と北側の下階の床上の部屋とを連通させた場合には、採光窓から差し込んだ外光が吹き抜けを通って下階の北側の部屋に差し込み、建物内の採光を良好にすることができる。
【００１９】
また、スキップ床の吹き抜け側の端部に光を透過する柵を設けることで、採光窓から差し込んだ外光を柵が遮ることなく、スキップ床の上の人や物が下階の床の上へ落下することを防ぐことができる。
【００２０】
また、天窓から外光が差し込み、吹き抜けとその周辺の空間の採光を良好にすることができる。
【００２１】
さらに、スキップ床下の南側に面している外壁には通風口がスキップ床より低い位置に設けられているので、通風口から入った風がスキップ床の下部及び吹き抜けを通って天窓から抜けるため、建物内の通風を良好にすることができる。
【００２２】
また、通風口をスキップ床下に設けられた収納所における荷物の搬出入口として用いることで、スキップ床の下部の空間を収納スペースとして用いることができ、搬出入口を通して屋外から当該空間に荷物を搬出入することができる。
【発明を実施するための最良の形態】
【００２３】
以下、本発明について詳細に説明する。図１は本発明の第１の実施の形態の建物を南側から見た立面図である。図２は図１の建物の１階の間取り図、図３は図１の建物の中２階及び２階の間取り図、図４は図１の建物を東側から見たａ−ａ断面図である。
【００２４】
この建物の１階の東側部分には、図２に示すように、東向きの玄関１が設けられている。玄関１の北側には、和室２が設けられている。和室２は来客用の応接室としても利用することができる。
【００２５】
玄関１及び和室２の西側には、ダイニングキッチン３が設けられている。ダイニングキッチン３の西側には、洗面所７、浴室８、及びトイレ９が設けられている。
【００２６】
ダイニングキッチン３の南側部分は、図３及び図４に示すように、吹き抜け４になっている。吹き抜け４の上部の天井には、図４に示すように、天窓５が設けられている。天窓５は外光を取り入れる採光窓として機能するとともに、換気窓としても機能する。天窓５から外光を取り入れることにより、ダイニングキッチン３全体を明るくすることができる。
【００２７】
吹き抜け４の南側には、図４に示すように、１階の床Ａよりも高く２階の床Ｂよりも低いスキップ床Ｓ１が設けられている。この１階の床Ａとスキップ床Ｓ１との間に収納所１０が設けられている。収納所１０は天井高さが約１．４ｍと他の部屋の約半分になっている。収納所１０にはダイニングキッチン３や他の部屋で使用する物を収納することができる。なお、ダイニングキッチン３と収納所１０との間には壁がなく、棚によって仕切られているのみであるため、ダイニングキッチン３から収納所１０内の物を見ることができる。このため、収納所１０をギャラリーのように展示物を展示する空間として用いることもできる。
【００２８】
収納所１０の南側に面している外壁には屋外へ通じる出入口１１が設けられている。また、収納所１０の南半分は土間床１２となっている。このため、屋外から収納所１０内へ履物を履いたまま出入りすることができ、アウトドア用品やその他の荷物を屋外から容易に出し入れすることができる。また、土間床１２部分をペットの居場所とすることもできる。
【００２９】
また、出入口１１からは外気を建物内に取り入れることができる。出入口１１から入った外気は、収納所１０を通って吹き抜け４を上って天窓５から外へ抜けるため、建物内の通気性を良好にすることができる。
【００３０】
スキップ床Ｓ１の上の中２階へ上がる階段６は、吹き抜け４の西側部分に設けられている。階段６を上がった中２階には、図３に示すように、リビングルーム１３が設けられている。リビングルーム１３は吹き抜け４を介してダイニングキッチン３と連通している。
【００３１】
リビングルーム１３は図４に示すように、天井高さが通常の約１．５倍となっている。リビングルーム１３の南側に面している外壁には、スキップ床Ｓ１の上から天井まで届く大開口の採光窓１４が設けられている。さらに、リビングルーム１３の北側の吹き抜け４との境界部分には、光を透過するとともに人や物の落下を防止する柵１５が設けられている。このため、南側の窓から入射した外光を、リビングルーム１３及び吹き抜け４を通して１階の北側のダイニングキッチン３まで届かせることができる。
【００３２】
また、リビングルーム１３の西側に面している外壁には、図３及び図４に示すように、２階のベランダとの間にはめ殺しの窓１６が設けられている。このため、南側の窓から入射した外光と同様に、西側の窓１６から入射した外光を、リビングルーム１３及び吹き抜け４を通して１階の北側のダイニングキッチン３まで届かせることができる。
【００３３】
リビングルーム１３の北東部には、２階へ上がる階段１７が設けられている。階段１７を上がると、吹き抜け４の東側に沿って南北に伸びる廊下１８がある。廊下１８の東側には可動式の間仕切１９で南北に仕切られた２つの寝室２０、２１がある。その南側の寝室２１の南側には、ベランダ２２が設けられている。
【００３４】
廊下１８の北側の突き当りには、トイレ２３が設けられている。トイレ２３の西側には、寝室２４が設けられている。寝室２４の南側には、吹き抜け４を望む窓２５が設けられている。また、寝室２４の北側には、窓２５と対向して屋外へ通じる窓２６が設けられている。このため寝室からは、図４に示すように、窓２５を通じて採光窓１４の外の景色を眺めることができるとともに、窓２６の外の景色も眺めることができ、寝室２４を視線の通る見晴らしのよい空間とすることができる。
【００３５】
寝室２４の西側には、納戸２７が設けられている。納戸２７の南側には、寝室と通じる書斎２８が設けられている。書斎２８の南側には、ベランダ２９が設けられている。
【００３６】
このように、本実施の形態の建物によれば、採光窓１４から差し込んだ外光がスキップ床Ｓ１と２階の床Ｂとの間、及び吹き抜け４を通ってダイニングキッチン３に差し込み、また天窓５からも外光がダイニングキッチン３に差し込むため、建物の北側にあるダイニングキッチン３の採光を良好にすることができる。
【００３７】
次に、本発明の第２の実施の形態の建物について説明する。図５は本発明の第２の実施の形態の建物を南側から見た立面図、図６は図５の建物の１階の間取り図、図７（ａ）は図５の建物の中２階及び２階の間取り図、図７（ｂ）は図５の建物の中３階の間取り図、図８は図５の建物を西側から見たｂ−ｂ断面図である。
【００３８】
この建物の１階の東側部分には、図５及び図６に示すように、南向きの玄関１が設けられている。玄関１の北側には、和室２が設けられている。玄関１及び和室２の西側には、ダイニングキッチン３が設けられている。また、和室２の北側には、ダイニングキッチン３と繋がる洗面所７、浴室８、及びトイレ９が設けられている。
【００３９】
ダイニングキッチン３の南側部分は、図７及び図８に示すように、吹き抜け４になっている。吹き抜け４の上部の天井には、図８に示すように、天窓５が設けられている。天窓５は外光を取り入れる採光窓として機能するとともに、換気窓としても機能する。
【００４０】
吹き抜け４の南側には、図８に示すように、１階の床Ａよりも高く２階の床Ｂよりも低いスキップ床Ｓ１が設けられている。この１階の床Ａとスキップ床Ｓ１との間に収納所１０が設けられている。収納所１０は天井高さが約１．４ｍと他の部屋の約半分になっている。収納所１０の南側に面している外壁には屋外へ通じる出入口１１が設けられている。
【００４１】
スキップ床Ｓ１の上の中２階へ上がる階段６は、吹き抜け４の南側部分に設けられている。階段６を上がった中２階には、図７に示すように、リビングルーム１３が設けられている。リビングルーム１３の上部には、図８に示すように、２階の床Ｂよりも高い中３階を構成する第２のスキップ床Ｓ２が設けられている。
【００４２】
リビングルーム１３は吹き抜け４を介してダイニングキッチン３と連通している。また、リビングルーム１３の南側に面している外壁には、スキップ床Ｓ１とスキップ床Ｓ２との間に、大開口の採光窓１４が設けられている。さらに、リビングルーム１３の北側の吹き抜け４との境界部分には、光を透過するとともに人や物の落下を防止する柵１５が設けられている。このため、南側の窓から入射した外光を、リビングルーム１３及び吹き抜け４を通して１階の北側のダイニングキッチン３まで届かせることができる。
【００４３】
また、リビングルーム１３の西側に面している外壁には、屋外へ通じる窓１６が設けられており、窓１６から外光をリビングルーム１３に入射させることができる。
【００４４】
リビングルーム１３の北東部には、２階へ上がる階段１７が設けられている。階段１７を上がると、南北に伸びる廊下１８がある。廊下１８の北側の突き当りには、東側の寝室３０及び西側の書斎２８が一体となった居室が設けられている。寝室３０と書斎２８との間にはウォークスルークローゼット３１が設けられている。寝室３０の南側には、玄関１の上部に相当する位置にベランダ３２が設けられている。
【００４５】
書斎２８の南側には、吹き抜け４を望む窓２５が設けられている。また、書斎２８の北側には、窓２５と対向して屋外へ通じる窓２６が設けられている。このため書斎２８からは、図４に示すように、窓２５を通じて採光窓１４の外の景色を眺めることができるとともに、窓２６の外の景色も眺めることができ、書斎２８を視線の通る見晴らしのよい空間とすることができる。
【００４６】
廊下１８の東側にはトイレ２３が設けられている。また、廊下１８の西側には、吹き抜け４に面する踊り場３３が設けられるとともに、中３階へ上がる階段３４が設けられている。
【００４７】
階段３４を上がった中３階には、図７（ｂ）に示すように、吹き抜け４に面する踊り場３５が設けられている。踊り場３５には、可動式の間仕切３６で東西に仕切られた２つの寝室３７、３８の出入口が設けられている。
【００４８】
本実施の形態によれば、第１の実施の形態と同様に、建物の北側にあるダイニングキッチン３の採光を良好にすることができる。また、スキップ床Ｓ１の上部に第２のスキップ床Ｓ２が設けられているので、建物の床面積を増やして空間を有効利用することができる。
【００４９】
なお、以上の実施の形態においては、２階建て、あるいは２．５階建ての建物としたが、本発明はこれに限ることはなく、さらに多層の建物としてもよい。また、間取り等についても適宜変更可能であることはもちろんである。
【図面の簡単な説明】
【００５０】
【図１】本発明の実施の形態の建物を示す正面図である。
【図２】図１の建物の１階の間取り図である。
【図３】図１の建物の中２階及び２階の間取り図である。
【図４】図１のａ−ａ断面図である。
【図５】本発明の実施の形態の建物を示す正面図である。
【図６】図５の建物の１階の間取り図である。
【図７】（ａ）は図５の建物の中２階及び２階の間取り図であり、（ｂ）は図５の建物の中３階の間取り図である。
【図８】図５のｂ−ｂ断面図である。
【符号の説明】
【００５１】
３     ダイニングキッチン
５     天窓
１０   収納所
１１   出入口
１３   リビングルーム
１４   採光窓
１５   柵
Ａ     １階の床
Ｂ     ２階の床
Ｓ１、Ｓ２    スキップ床
【図１】
2005350880.tif 000003
【図２】
2005350880.tif 000004
【図３】
2005350880.tif 000005
【図４】
2005350880.tif 000006
【図５】
2005350880.tif 000007
【図６】
2005350880.tif 000008
【図７】
2005350880.tif 000009
【図８】
2005350880.tif 000010